(57)【要約】【課題】フルカラー表示でき、且つ、消費電力を小さくできること。【解決手段】表示画面側（前面側）に配された有機ＥＬ表示体２と、背面側に配された電気泳動パネル３とを備え、有機ＥＬ表示体２は、印加電圧に応じて色彩光を発光する有機ＥＬ発光層４と、この有機ＥＬ発光層４を挟み込むように配置された一対の透明電極５，６とを有し、電気泳動パネル３は、印加電圧に応じて白黒表示するマイクロカプセル８は配された層を有する構成とした。【選択図】  図２
2004302321.tif 000002
【特許請求の範囲】
【請求項１】
表示画面側に配された第１の表示体と、背面側に配された第２の表示体とを備え、前記第１の表示体は、第１の印加電圧に応じて所望の色彩光を自己発光する自己発光層と、この自己発光層を挟み込むように配置された一対の透明電極とを有し、前記第２の表示体は、第２の印加電圧に応じて二色表示する電気泳動層を有することを特徴とする表示装置。
【請求項２】
前記二色表示は、白黒表示であることを特徴とする請求項１に記載の表示装置。
【請求項３】
前記自己発光層は、有機エレクトロルミネッセンスであることを特徴とする請求項１又は請求項２に記載の表示装置。
【請求項４】
前記第１の表示体及び前記第２の表示体の表示状態を制御する制御手段を備えたことを特徴とする請求項１乃至請求項３のいずれかに記載の表示装置。
【請求項５】
表示画面側に配された第１の表示体と、背面側に配された第２の表示体とを備え、前記第１の表示体は、第１の印加電圧に応じて所望の色彩光を自己発光する自己発光層と、この自己発光層を挟み込むように配置された一対の透明電極とを有し、前記第２の表示体は、第２の印加電圧に応じて二色表示する反射型表示体層を有する表示装置であって、前記第１の表示体及び前記第２の表示体の表示状態を制御する制御手段を備え、前記制御手段は、表示コンテンツに含まれるカラー表示データは前記第１の表示体に表示させ、前記表示コンテンツに含まれるモノクロ表示データは前記第２の表示体に表示させることを特徴とする表示装置。
【請求項６】
前記制御手段は、表示コンテンツに含まれるカラー表示データは前記第１の表示体に表示させ、前記表示コンテンツに含まれるモノクロ表示データは前記第２の表示体に表示させることを特徴とする請求項４に記載の表示装置。
【請求項７】
前記制御手段は、前記表示コンテンツに含まれるカラー写真データは前記第１の表示体に表示させ、前記表示コンテンツに含まれるモノクロ写真データ及び文字データは前記第２表示体に表示させることを特徴とする請求項５又は請求項６に記載の表示装置。
【請求項８】
前記制御手段は、前記表示コンテンツに含まれるカラー表示データを前記第１の表示体に表示させるとともに、前記第２の表示体のうち前記カラー表示データの表示領域と重なる部分を暗色表示することを特徴とする請求項５乃至請求項７のいずれかに記載の表示装置。
【請求項９】
前記制御手段は、前記表示コンテンツに含まれる文字データを前記第２の表示体に表示させるとともに、前記第１の表示体のうち前記文字データの明色表示領域と重なる部分又は前記文字データの明色表示領域とほぼ重なる部分を発光状態とすることを特徴とする請求項５乃至請求項８のいずれかに記載の表示装置。
【請求項１０】
利用者による節電モードの選択が可能なモード選択手段を備え、前記制御手段は、前記節電モードが選択されているときには、前記表示コンテンツに含まれるカラー表示データも前記第２の表示体に二色表示させることを特徴とする請求項５乃至請求項９のいずれかに記載の表示装置。
【請求項１１】
前記制御手段は、前記表示コンテンツに含まれるカラー表示データを前記第１の表示体に表示させている状態が設定時間を経過したときには、そのカラー表示データを前記第２の表示体に二色表示させる状態に自動的に移行することを特徴とする請求項５乃至請求項１０のいずれかに記載の表示装置。
【請求項１２】
前記表示画面への入射光量を検出する入射光量検出手段を備え、前記制御手段は、前記入射光量に応じて前記第１の表示体の輝度を制御することを特徴とする請求項５乃至請求項１１のいずれかに記載の表示装置。
【請求項１３】
請求項１乃至請求項１２のいずれかに記載の表示装置を備えることを特徴とする電子機器。
【請求項１４】
自発光する透過型表示体の背面側に反射型表示体を配してなる表示装置に表示コンテンツを表示させる方法であって、前記表示コンテンツに含まれるカラー表示データを前記透過型表示体に表示させ、前記表示コンテンツに含まれるモノクロ表示データを前記反射型表示体に表示させることを特徴とする表示方法。
【請求項１５】
前記表示コンテンツに含まれるカラー写真データを前記透過型表示体に表示させ、前記表示コンテンツに含まれるモノクロ写真データ及び文字データを前記反射型表示体に表示させることを特徴とする請求項１４に記載の表示方法。
【請求項１６】
前記表示コンテンツに含まれるカラー表示データを前記透過型表示装置に表示させるとともに、前記反射型表示体のうち前記カラー表示データの表示領域と重なる部分を暗色表示することを特徴とする請求項１４又は請求項１５に記載の表示方法。
【請求項１７】
前記表示コンテンツに含まれる文字データを前記反射型表示体に表示させるとともに、前記透過型表示体のうち前記文字データの明色表示領域と重なる部分又は前記文字データの明色表示領域とほぼ重なる部分を発光状態とすることを特徴とする請求項１４乃至請求項１６のいずれかに記載の表示方法。
【請求項１８】
利用者によって節電モードが選択されているときには、前記表示コンテンツに含まれるカラー表示データも前記反射型表示体に二色表示させることを特徴とする請求項１４乃至１７のいずれかに記載の表示方法。
【請求項１９】
前記表示コンテンツに含まれるカラー表示データを前記透過型表示体に表示させている状態が設定時間を経過したときには、そのカラー表示データを前記反射型表示体に二色表示させる状態に自動的に移行することを特徴とする請求項１４乃至請求項１８のいずれかに記載の表示方法。
【発明の詳細な説明】
【０００１】
【発明の属する技術分野】
本発明は、電子化された書籍（電子ブック）のコンテンツ等を表示するための表示装置、その表示装置を用いた電子機器及び表示方法に関する。
【０００２】
【従来の技術】
従来、この種の技術としては、例えば、シアン，マゼンダ，イエローのいずれかに着色された液体分散媒と正又は負に帯電されている白色の帯電粒子とを封入した複数のマイクロカプセルを、一対の透明電極の間に挟んでなる電気泳動パネルが知られている。このような電気泳動パネルにあっては、任意のマイクロカプセルに電圧を印加し、帯電粒子を背面側に泳動させ、それらのマイクロカプセルの液体分散媒の混合色を前面側に表示させることによって、コンテンツに含まれるカラー写真等のカラー表示データを表示している（特許文献１参照。）。
【０００３】
また、例えば、レッド、グリーン、ブルーに発光する３つの副画素を一組として１画素を構成している有機ＥＬ発光層を、一対の透明電極の間に挟んでなる有機ＥＬ表示体も知られている。このような有機ＥＬ表示体にあっては、有機ＥＬ発光層に電圧を印加し、色彩光を発光させ、それらの色彩光の混合色を表示させることによって、コンテンツに含まれるカラー表示データを表示している。
【０００４】
【特許文献１】
特開２０００−３５５９８
【０００５】
【発明が解決しようとする課題】
しかしながら、上記従来技術のうち前者のものにあっては、シアン，マゼンダ，イエロー、つまり正確な色再現が比較的困難な三原色の混合でカラー表示データを表示するようになっているため、フルカラー表示することが難しかった。また、反射型表示体のため暗いところでは見ることができないという問題があった。
【０００６】
また、後者のものにあっては、レッド，グリーン，ブルー、つまり正確な色再現が比較的容易な三原色の混合でカラー表示データを表示するため、比較的容易にフルカラー表示できるものの、色彩光の発光に消費される電力が大きかった。
そこで、本発明は上記従来技術の未解決の課題を解決することを目的とするものであって、容易にフルカラー表示でき、且つ、消費電力を小さくできる表示装置、その表示装置を用いた電子機器及び表示方法を提供することを課題とする。
【０００７】
【課題を解決するための手段】
上記課題を達成するために、本発明に係る表示装置は、表示画面側に配された第１の表示体と、背面側に配された第２の表示体とを備え、前記第１の表示体は、第１の印加電圧に応じて所望の色彩光を自己発光する自己発光層と、この自己発電層を挟み込むように配置された一対の透明電極とを有し、前記第２の表示体は、第２の印加電圧に応じて二色表示する電気泳動層を有することを特徴とするものである。
【０００８】
このような構成とすれば、第２の表示体の二色表示に第１の表示体の色彩光が重なって表示されるため、例えば、第１の表示体にレッド，グリーン，ブルー（ＲＧＢ）の色彩光を発光させ、それらの混合色で表示コンテンツに含まれるカラー表示データを表示させ、且つ、第２の表示体に前記表示コンテンツに含まれるモノクロ表示データを表示させることによって、前記表示コンテンツを容易にフルカラー表示でき、且つ、前記第１の表示体で色彩光の発光に消費される電力を小さくでき、表示装置全体として消費電力を小さくできる。
【０００９】
また、本発明に係る表示装置は、前記二色表示を、白黒表示としてもよい。
このような構成とすれば、二色の明度差が大きくなるため、その二色表示の境界を明瞭に感じさせることができ、表示コンテンツを見やすくできる。
さらに、本発明に係る表示装置は、前記自己発光層を、有機エレクトロルミネッセンスとしてもよい。
【００１０】
このような構成とすれば、第１の表示体による表示コンテンツの表示速度を大きくでき、表示コンテンツとして動画を表示することができる。
また、本発明に係る表示装置は、前記第１の表示体及び前記第２の表示体の表示状態を制御する制御手段を備えてもよい。
このような構成とすれば、表示コンテンツの内容や周辺環境等に基づいて、第１の表示体及び第２の表示体の表示状態を変更でき、表示コンテンツを適切に表示することができる。
【００１１】
一方、上記課題を解決するために、本発明に係る表示装置は、表示画面側に配された第１の表示体と、背面側に配された第２の表示体とを備え、前記第１の表示体は、第１の印加電圧に応じて所望の色彩光を自己発光する自己発光層と、この自己発光層を挟み込むように配置された一対の透明電極とを有し、前記第２の表示体は、第２の印加電圧に応じて二色表示する反射型表示体層を有する表示装置であって、前記第１の表示体及び前記第２の表示体の表示状態を制御する制御手段を備え、前記制御手段は、表示コンテンツに含まれるカラー表示データは前記第１の表示体に表示させ、前記表示コンテンツに含まれるモノクロ表示データは前記第２の表示体に表示させることを特徴とするものである。
【００１２】
また、本発明に係る表示装置は、前記制御手段が、表示コンテンツに含まれるカラー表示データを前記第１の表示体に表示させ、前記表示コンテンツに含まれるモノクロ表示データを前記第２の表示体に表示させるものであってもよい。
このような構成とすれば、例えば、第１の表示体にレッド，グリーン，ブルー（ＲＧＢ）の色彩光を発光させ、それらの混合色で表示コンテンツに含まれるカラー表示データを表示させることによって、そのカラー表示データを容易にフルカラー表示することができる。
【００１３】
さらに、本発明に係る表示装置は、前記制御手段が、前記表示コンテンツに含まれるカラー写真データを前記第１の表示体に表示させ、前記表示コンテンツに含まれるモノクロ写真データ及び文字データを前記第２表示体に表示させるものであってもよい。
このような構成とすれば、例えば、第１の表示体にレッド，グリーン，ブルー（ＲＧＢ）の色彩光を発光させ、それらの混合色で表示コンテンツに含まれるカラー写真データを表示させることによって、そのカラー写真データを容易にフルカラー表示することができる。
【００１４】
さらに、本発明に係る表示装置は、前記制御手段が、前記表示コンテンツに含まれるカラー表示データを前記第１の表示体に表示させるとともに、前記第２の表示体のうち前記カラー表示データの表示領域と重なる部分を暗色表示するようにしてもよい。
このような構成とすれば、カラー表示データの周囲が暗くなるため、第１の表示体の輝度を小さくすることができ、表示コンテンツの見やすさを損なうことなく、色彩光の発光に消費される電力をより小さくすることができる。
【００１５】
また、本発明に係る表示装置は、前記制御手段が、前記表示コンテンツに含まれる文字データを前記第２の表示体に表示させるとともに、前記第１の表示体のうち前記文字データの明色表示領域と重なる部分又は前記文字データの明色表示領域とほぼ重なる部分を発光状態とするようにしてもよい。
このような構成とすれば、表示コンテンツに含まれる文字データの暗色表示領域と明色表示領域、つまり文字の表示領域と背景部分の表示領域との明度差が大きくなるため、それらの領域の境界を明瞭に感じさせることができ、文字データを見やすくできる。また、暗い環境においても、文字を読む事ができる。
【００１６】
さらに、本発明に係る表示装置は、利用者による節電モードの選択が可能なモード選択手段を備え、前記制御手段が、前記節電モードが選択されているときには、前記表示コンテンツに含まれるカラー表示データも前記第２の表示体に二色表示させるようにしてもよい。
このような構成とすれば、例えば、利用者によって節電モードが選択されたときには、第１の表示体による色彩光の発光を停止でき、表示装置全体として消費電力をより小さくすることができる。
【００１７】
また、本発明に係る表示装置は、前記制御手段が、前記表示コンテンツに含まれるカラー表示データを前記第１の表示体に表示させている状態が設定時間を経過したときには、そのカラー表示データを前記第２の表示体に二色表示させる状態に自動的に移行するようにしてもよい。
このような構成とすれば、例えば、カラー表示データを第１の表示体に表示させている状態が設定時間を経過したときには、第１の表示体による色彩光の発光を停止でき、表示装置全体として消費電力をより小さくできる。
【００１８】
さらに、本発明に係る表示装置は、前記表示画面への入射光量を検出する入射光量検出手段を備え、前記制御手段は、前記入射光量に応じて前記第１の表示体の輝度を制御するようにしてもよい。
このような構成とすれば、例えば、表示画面への入射光量が少ないとき、つまり周囲が暗いときには、第１の表示体の輝度を小さくすることができ、表示コンテンツの見やすさを損なうことなく、色彩光の発光に消費される電力をより小さくできる。
【００１９】
一方、本発明に係る電子機器は、請求項１乃至請求項１２のいずれかに記載の表示装置を備えることを特徴とするものである。
このような構成とすれば、第２の表示体の二色表示に第１の表示体の色彩光が重なって表示されるため、例えば、第１の表示体にレッド，グリーン，ブルー（ＲＧＢ）の色彩光を発光させ、それらの混合色で表示コンテンツの所定部分を表示させ、且つ、第２の表示体に表示コンテンツの残り部分を表示させることによって、前記表示コンテンツの所定部分をフルカラー表示でき、且つ、前記第１の表示体で色彩光の発光に消費される電力を小さくでき、表示装置全体として消費電力を小さくできる。
【００２０】
一方、本発明に係る表示方法は、自発光する透過型表示体の背面側に反射型表示体を配し、表示コンテンツに含まれるカラー表示データを前記透過型表示体に表示させ、前記表示コンテンツに含まれるモノクロ表示データを前記反射型表示体に表示させることを特徴とするものである。
また、本発明に係る表示方法は、前記表示コンテンツに含まれるカラー写真データを前記透過型表示体に表示させ、前記表示コンテンツに含まれるモノクロ写真データ及び文字データを前記反射型表示体に表示させるものであってもよい。
【００２１】
さらに、本発明に係る表示方法は、前記表示コンテンツに含まれるカラー表示データを前記透過型表示装置に表示させるとともに、前記反射型表示体のうち前記カラー表示データの表示領域と重なる部分を暗色表示するものであってもよい。
また、本発明に係る表示方法は、前記表示コンテンツに含まれる文字データを前記反射型表示体に表示させるとともに、前記透過型表示体のうち前記文字データの明色表示領域と重なる部分又は前記文字データの明色表示領域とほぼ重なる部分を発光状態とするものであってもよい。
【００２２】
さらに、本発明に係る表示方法は、利用者によって節電モードが選択されているときには、前記表示コンテンツに含まれるカラー表示データも前記反射型表示体に二色表示させるものであってもよい。
さらに、本発明に係る表示方法は、前記表示コンテンツに含まれるカラー表示データを前記透過型表示体に表示させている状態が設定時間を経過したときには、そのカラー表示データを前記反射型表示体に二色表示させる状態に自動的に移行することを特徴とするものであってもよい。
【００２３】
【発明の実施の形態】
以下、本発明に係る表示装置を備えた電子機器として、電子ブックのコンテンツを閲覧するための電子ブックリーダの実施形態を図面に基づいて説明する。
図１は、本発明の一実施形態を示す概略構成図であり、図１において、１は所定のページに区切られた電子ブックのコンテンツを表示するための表示画面である。この表示画面１は、図２に示すように、前面側（表示画面側）に色彩光を自己発光する有機ＥＬ（有機エレクトロルミネッセンス）表示体２が配され、背面側に白黒表示する電気泳動パネル３が設けられている。有機ＥＬ表示体２は、レッド、グリーン、ブルーに発光する３つの副画素を一組として一画素を構成している有機ＥＬ発光層４と、その有機ＥＬ発光層４を挟み込むように配置された一対の透明電極５，６とを備え、それらの透明電極５，６のうち前面側にあるもの（画素電極）５と有機ＥＬ発光層４とがマトリックス状に形成され、背面側にあるもの６が表示体全面の共通電極とされる。そして、第１ディスプレイドライバ１０９（図８参照。）及び駆動回路（図示略。）を介して、後述する制御装置１００（図８参照。）からの指令に従って、有機ＥＬ発光層４に電圧を印加し、有機ＥＬ発光層４に色彩光を自己発光させ、それらの色彩光の混合色が前面側から認識されるようにし、表示コンテンツに含まれるカラー写真等のカラー表示データを表示させる。
【００２４】
電気泳動パネル３は、黒色の帯電粒子７ａと白色の分散媒７ｂとからなる電気泳動分散液７を内包する複数のマイクロカプセル８と、それらのマイクロカプセル８が配された層を挟み込むように配置された一対の電極６，９とを備え、それらの電極６，９のうち前面側にあるもの６をパネル全面の共通電極とし、背面側にあるもの９がマトリックス状に形成される。そして、第２ディスプレイドライバ１１１（図８参照。）及び駆動回路（図示略。）を介して、後述する制御装置（図８参照。）からの指令に従って、任意のマイクロカプセル８に電圧を印加することによって、黒色の帯電粒子７ａを前面側（電極６側）に吸着させ、それらの耐電粒子７ａが前面側から認識されるようにし、表示コンテンツに含まれるモノクロ写真や文字等のモノクロ表示データを表示させる。また、この状態から電気泳動パネル３をオフ状態、つまり駆動回路を開放状態に切り替えると、電極９には電荷が保持されるため、この電極保持電荷のクーロン力で帯電粒子７ａは、電極６側に吸着された状態となる。つまり、一切エネルギーを供給していない状態で、帯電粒子７ａが吸着した状態が保持され、前面側にモノクロ表示データが表示され続ける。なお、電気泳動パネル３の前面側の電極６は、有機ＥＬ表示体２の背面側の透明電極６を兼ねるものとする。
【００２５】
そして、図３に示すように、電気泳動パネル３の前面側に表示されたモノクロ表示データは有機ＥＬ表示体２を通して表示画面１前面側から視認でき、表示画面１には、電気泳動パネル３に表示されたモノクロ表示データに有機ＥＬ表示体２に表示されたカラー表示データが重なったもの、つまり電子ブックのコンテンツが表示される。
【００２６】
また、表示画面１の左方には、次のページのコンテンツを表示画面１に表示させるためのページ送りボタン１０と、前のページのコンテンツを表示画面１に表示させるためのページ戻しボタン１１とが配されていて、それらの操作状態を制御装置１００（図８参照。）に出力する。また、表示画面１の右方には、電子ブックリーダの動作モードを切り換えるためモード切替スイッチ１２が配設されていて、その操作状態を制御装置１００（図８参照。）に出力する。このモード切替スイッチ１２は、図４に示すように、カラー表示データを有機ＥＬ表示体２に表示させ且つモノクロ表示データを電気泳動パネル３に表示させるカラー１モードと、図５に示すように、コンテンツに含まれる全表示データを有機ＥＬ表示体２に表示させるカラー２モードと、図６に示すように、コンテンツに含まれる全表示データを電気泳動パネル３に表示させ且つ有機ＥＬ表示体に白色光を発光させるモノクロオート照明モードと、図７に示すように、コンテンツに含まれる全表示データを電気泳動パネル３に表示させ且つ有機ＥＬ表示体２をオフ状態とする低パワーモノクロモードとの４つの動作モードを切替可能とする。
【００２７】
さらに、表示画面１の左上方には、電子ブックリーダの電源をオフ状態、つまり有機ＥＬ表示体２の駆動回路と電気泳動パネル３の駆動回路とを開放状態とする電源スイッチ１３が配設されていて、その操作状態を制御装置１００（図８参照。）に出力する。また、表示画面１の右上方には、表示画面１への入射光量を検出する光センサ１４が配設されていて、その検出結果を制御装置１００（図８参照。）に出力する。
【００２８】
次に、制御装置１００の構成を図８のブロック図に従って説明する。図中、１０１は主制御部であり、ＣＰＵ１０２を内蔵したマイクロプロセッサが搭載され、制御プログラム等を格納するＲＯＭ１０３と、電子ブックのコンテンツに含まれる表示データ等を格納するフラッシュメモリ１０４と、各種のワークエリアを形成するワークＲＡＭ１０５とが設けられている。
【００２９】
また、主制御部１０１の入力ポート１０６には、ページ送りボタン１０、ページ戻しボタン１１、モード切替スイッチ１２、電源スイッチ１３、光センサ１４と、外部機器に接続して新たな表示データを読み込むためのＵＳＢインタフェース１５とが接続されている。また、主制御部１０１の出力ポート１０７には、有機ＥＬ表示体２に表示させる表示データを格納する第１ビデオＲＡＭ１０８と、有機ＥＬ表示体２を駆動するための第１ディスプレイドライバ１０９と、電気泳動パネル３に表示させる表示データを格納する第２ビデオＲＡＭ１１０と、電気泳動パネル３を駆動するための第２ディスプレイドライバ１１１とが接続されている。そして、ページ送りボタン１０やページ戻しボタン１１が操作されたときに、次のページ又は前のページのコンテンツを有機ＥＬ表示体２や電気泳動パネル３に表示させるコンテンツ表示処理と、所定時間ΔＴ（例えば、１０ｍｓｅｃ．）が経過するたびに実行されるタイマ割込処理と、電源スイッチ１３がオフ状態とされたときに、有機ＥＬ表示体２と電気泳動パネル３をオフ状態とする終了処理とを実行する。
【００３０】
次に、ページ送りボタン１０やページ戻しボタン１１等から取得した検出信号に基づいて、有機ＥＬ表示体２や電気泳動パネル３に電子ブックのコンテンツを表示させるコンテンツ表示処理を、図９のフローチャートに従って説明する。このコンテンツ表示処理は、ページ送りボタン１０やページ戻しボタン１１が操作されたときに実行される処理であって、まずそのステップＳ１０１では、オート照明フラグＦを“０”のオフ状態とする。
【００３１】
次にステップＳ１０２に移行して、モード切替スイッチ１２が低パワーモノクロモードに設定操作されているか否かを判定し、低パワーモノクロモードに設定操作されている場合には（Ｙｅｓ）ステップＳ１０３に移行し、そうでない場合には（Ｎｏ）ステップＳ１０５に移行する。
前記ステップＳ１０３では、図７（ａ）に示すように、有機ＥＬ表示体２をオフ状態、つまり駆動回路を開放状態とする指令を第１ディスプレイドライバ１０９に出力する。
【００３２】
次にステップＳ１０４に移行して、図７（ｂ）に示すように、所定ページのコンテンツに含まれる全表示データを電気泳動パネル３に白黒表示させる。具体的には、ページ送りボタン１０が操作されたときには、次のページのコンテンツに含まれる全表示データを電気泳動パネル３に白黒表示させる指令を第２ディスプレイドライバ１１１に出力し、且つ、ページ戻しボタン１１が操作されたときには、前のページのコンテンツに含まれる全表示データを電気泳動パネル３に白黒表示させる指令を第２ディスプレイドライバ１１１に出力する。
【００３３】
一方、前記ステップＳ１０５では、モード切替スイッチ１２がモノクロオート照明モードに設定操作されているか否かを判定し、モノクロオート照明モードに設定操作されている場合には（Ｙｅｓ）ステップＳ１０６に移行し、そうでない場合には（Ｎｏ）ステップＳ１０９に移行する。
前記ステップＳ１０６では、図６（ａ）に示すように、有機ＥＬ表示体２をオフ状態、つまり駆動回路を開放状態とする指令を第１ディスプレイドライバ１０９に出力する。
【００３４】
次にステップＳ１０７に移行して、図６（ｂ）に示すように、所定ページのコンテンツに含まれる全表示データを電気泳動パネル３に白黒表示させる。具体的には、ページ送りボタン１０が操作されたときには、次のページのコンテンツに含まれる全表示データを電気泳動パネル３に白黒表示させる指令を第２ディスプレイドライバ１１１に出力し、且つ、ページ戻しボタン１１が操作されたときには、前のページのコンテンツに含まれる全表示データを電気泳動パネル３に白黒表示させる指令を第２ディスプレイドライバ１１１に出力する。
【００３５】
次にステップＳ１０８に移行して、オート照明フラグを“１”のオン状態としてから、この演算処理を終了する。
一方、前記ステップＳ１０９では、モード切替スイッチ１２がカラー１モードに設定操作されているか否かを判定し、カラー１モードに設定操作されている場合には（Ｙｅｓ）ステップＳ１１０に移行し、そうでない場合には（Ｎｏ）、カラー２モードに設定操作されているものとし、ステップＳ１１４に移行する。
【００３６】
前記ステップＳ１１０では、図４（ａ）に示すように、ページ送りボタン１０が操作されたときには、次のページのコンテンツに含まれる表示データをフラッシュメモリ１０４から読み込むとともに、その表示データからカラー表示データの表示領域Ａを抽出し、且つ、ページ戻しボタン１１が操作されたときには、前のページのコンテンツに含まれる表示データをフラッシュメモリ１０４から読み読むとともに、その表示データからカラー表示データの表示領域Ａを抽出する。
【００３７】
次にステップＳ１１１に移行して、図４（ｂ）に示すように、前記ステップＳ１１０で抽出されたカラー表示データの表示領域Ａと重なる部分を、電気泳動パネル３に黒く塗りつぶして表示させる指令を第２ディスプレイドライバ１１１に出力する。
次にステップＳ１１２に移行して、図４（ｂ）に示すように、前記ステップＳ１１０で抽出されたカラー表示データを除く表示データ、つまりモノクロ表示データを電気泳動パネル３に白黒表示させる指令を第２ディスプレイドライバ１１１に出力する。
【００３８】
次にステップＳ１１３に移行して、図４（ａ）に示すように、前記ステップＳ１１０で抽出されたカラー表示データを有機ＥＬ表示体２にカラー表示させる指令を第２ディスプレイドライバ１１１に出力する。
一方、前記ステップＳ１１４では、図５（ｂ）に示すように、電気泳動パネル３を全て黒く塗りつぶして表示させる指令を第２ディスプレイドライバ１１１に出力する。
【００３９】
次にステップＳ１１５に移行して、図５（ａ）に示すように、所定ページのコンテンツに含まれる全表示データを有機ＥＬ表示体２にカラー表示させる。具体的には、ページ送りボタン１０が操作されたときには、次のページのコンテンツに含まれる全表示データを有機ＥＬ表示体２にカラー表示させる指令を第１ディスプレイドライバ１０９に出力し、且つ、ページ戻しボタン１１が操作されたときには、前のページのコンテンツに含まれる全表示データを有機ＥＬ表示体２にカラー表示させる指令を第１ディスプレイドライバ１０９に出力する。
【００４０】
次に、所定時間ΔＴが経過するたびに実行されるタイマ割込処理を図１０のフローチャートに従って説明する。このタイマ割込処理が実行されると、まずそのステップＳ２０１では、オート照明フラグＦが“１”のオン状態であるか否かを判定し、オン状態である場合には（Ｙｅｓ）ステップＳ２０２に移行し、そうでない場合には（Ｎｏ）この演算処理を終了する。
【００４１】
前記ステップＳ２０２では、光センサ１４で検出された表示画面１への入射光量を読み込む。
次にステップＳ２０３に移行して、前記ステップＳ２０２で読み込まれた入射光量から有機ＥＬ表示体２の輝度を設定する。具体的には、表示画面１への入射光量が少ないほど、つまり周囲が暗いときほど有機ＥＬ表示体２の輝度を小さくする指令を第１ディスプレイドライバ１０９に出力する。
【００４２】
次にステップＳ２０４に移行して、図６（ａ）に示すように、電気泳動パネル３に表示させているコンテンツに含まれる文字データＢから明色表示領域Ｃ、つまり文字の背景部分の表示領域Ｃを抽出し、その表示領域Ｃと重なる部分を有機ＥＬ表示体２に前記ステップＳ２０３で設定された輝度で白色表示させる指令を第１ディスプレイドライバ１０９に出力する。
【００４３】
次に、電源スイッチ１３等から取得した検出信号に基づいて、有機ＥＬ表示体２や電気泳動パネル３をオフ状態とする終了処理を図１１のフローチャートに従って説明する。この終了処理は、電源スイッチ１３がオフ状態とされたときに実行される処理であって、まずそのステップＳ３０１では、モード切替スイッチ１２が低パワーモノクロモードに設定操作されているか否かを判定し、低パワーモノクロモードに設定操作されている場合には（Ｙｅｓ）ステップＳ３０４に移行し、そうでない場合には（Ｎｏ）ステップＳ３０２に移行する。
【００４４】
前記ステップＳ３０２では、モード切替スイッチ１２がモノクロオート照明モードに設定操作されているか否かを判定し、モノクロオート照明モードに設定操作されている場合には（Ｙｅｓ）前記ステップＳ３０４に移行し、そうでない場合には（Ｎｏ）カラー１モード又はカラー２モードに表示されているものとし、ステップＳ３０３に移行する。
【００４５】
前記ステップＳ３０３では、有機ＥＬ表示体２と電気泳動パネル３とに表示させていたコンテンツに含まれる全表示データを、電気泳動パネル３に白黒表示させる指令を第２ディスプレイドライバ１１１に出力してから、前記ステップＳ３０４に移行する。
前記ステップＳ３０４では、電子ブックリーダの電源をオフ状態、つまり有機ＥＬ表示体２の駆動回路と電気泳動パネル３の駆動回路とを開放状態としてから、この演算処理を終了する。
【００４６】
次に、本実施形態の電子ブックリーダの動作を具体的に説明する。
まず、利用者が、モード切替スイッチ１２をカラー１モードに設定操作するとともに、ページ送りボタン１０を操作したとする。すると、制御装置１００でコンテンツ表示処理が実行され、そのステップＳ１０１で、オート照明フラグＦが“０”のオフ状態とされ、ステップＳ１０２及びＳ１０５の判定が「Ｎｏ」となり、またステップＳ１０９の判定が「Ｙｅｓ」となり、ステップＳ１１０で、図４（ａ）に示すように、次のページのコンテンツに含まれる表示データがフラッシュメモリ１０４から読み込まれ、その表示データからカラー表示データの表示領域Ａが抽出され、ステップＳ１１１で、図４（ｂ）に示すように、前記カラー表示データの表示領域Ａと重なる部分を電気泳動パネル３に黒く塗りつぶして表示させる指令が第２ディスプレイドライバ１１１に出力され、ステップＳ１１２で、図４（ｂ）に示すように、モノクロ表示データを電気泳動パネル３に白黒表示させる指令が第２ディスプレイドライバ１１１に出力され、ステップＳ１１３で、図４（ａ）に示すように、カラー表示データを有機ＥＬ表示体２にカラー表示させる指令が第１ディスプレイドライバ１０９に出力される。そして、それらの指令が第１ディスプレイドライバ１０９及び第２ディスプレイドライバ１１１に出力されると、図４（ａ）に示すように、カラー写真データが有機ＥＬ表示体２でカラー表示され、図４（ｂ）に示すように、そのカラー写真データの表示領域Ａと重なる部分が電気泳動パネル３に黒く塗りつぶして表示されるとともに、文字データが白黒表示され、図３に示すように、表示画面１には、電気泳動パネル３に白黒表示された文字データに有機ＥＬ表示体２に表示されたカラー写真データが重なったものが表示される。
【００４７】
このように、本実施形態にあっては、有機ＥＬ表示体２でレッド，グリーン，ブルー（ＲＧＢ）の色彩光を発光し、それらの混合色で表示コンテンツに含まれるカラー写真データを表示し、且つ、電気泳動パネル３で前記表示コンテンツに含まれる文字データを白黒表示するため、前記カラー写真が容易にフルカラー表示され、且つ、有機ＥＬ表示体２で色彩光の発光に消費される電力が小さくなり、装置全体として消費電力が小さくなる。また、白黒の二色表示によって文字と背景部分との明度差が大きくなるため、それらの境界が明瞭に感じられ、表示コンテンツが見やすくなる。さらに、カラー表示データの周囲が暗くなるため、有機ＥＬ表示体２の輝度を小さくすることができ、表示コンテンツの見やすさを損なうことなく、色彩光の発光に消費される電力をより小さくすることができる。
【００４８】
また、利用者が、モード切替スイッチ１２をカラー２モードに設定操作するとともに、ページ送りボタン１０を操作したとする。すると、制御装置１００でコンテンツ表示処理が実行され、そのステップＳ１０１を経て、ステップＳ１０２〜Ｓ１０９の判定が「Ｎｏ」となり、ステップＳ１１４で、図５（ｂ）に示すように、電気泳動パネル３を全て黒く塗りつぶして表示させる指令が第２ディスプレイドライバ１１１に出力され、ステップＳ１１５で、図５（ａ）に示すように、次のページのコンテンツに含まれる全表示データを有機ＥＬ表示体２にカラー表示させる指令が第１ディスプレイドライバ１０９に出力される。そして、それらの指令が第１ディスプレイドライバ１０９及び第２ディスプレイ１１１に出力されると、図５（ａ）に示すように、全表示データが有機ＥＬ表示体２にカラー表示され、図５（ｂ）に示すように、電気泳動パネル３が全て黒く塗りつぶして表示され、図３に示すように、表示画面１には、有機ＥＬ表示体２にカラー表示された全表示データが表示される。
【００４９】
このように、本実施形態にあっては、モード切替スイッチ１２がカラー２モードに設定操作されたときには、有機ＥＬ表示体２で全表示データを表示するため、コンテンツの表示速度が高速化され、短時間に多くのコンテンツを表示させ、所望のコンテンツを探すことができる。また、カラー表示データの周囲が暗くなるため、有機ＥＬ表示体２の輝度を小さくすることができ、表示コンテンツの見やすさを損なうことなく、色彩光の発光に消費される電力をより小さくできる。
【００５０】
一方、利用者が、モード切替スイッチ１２を低パワーモノクロモードに設定操作するとともに、ページ送りボタン１０を操作したとする。すると、制御装置１００でコンテンツ表示処理が実行され、まずステップＳ１０１を経て、ステップＳ１０２の判定が「Ｙｅｓ」となり、ステップＳ１０３で、図７（ａ）に示すように、有機ＥＬ表示体２をオフ状態とする指令が第１ディスプレイドライバ１０９に出力され、ステップＳ１０４で、図７（ｂ）に示すように、次のページに含まれるコンテンツの全表示データを電気泳動パネル３に白黒表示させる指令が第２ディスプレイドライバ１１１に出力される。そして、それらの指令が第１ディスプレイドライバ１０９及び第２ディスプレイドライバ１１１に出力されると、図７（ａ）に示すように、有機ＥＬ表示体２がオフ状態とされ、図７（ｂ）に示すように、次のページのコンテンツに含まれる全表示データが電気泳動パネル３に白黒表示され、図３に示すように、表示画面１には、電気泳動パネル３に白黒表示された全表示データが表示される。
【００５１】
このように、本実施形態では、利用者によって低パワーモノクロモードが選択されたときには、表示コンテンツに含まれるカラー表示データも電気泳動パネル３に白黒表示させ、有機ＥＬ表示体２による色彩光の発光を停止させるため、装置全体として消費電力がより小さくなる。
一方、利用者が、モード切替スイッチ１２をモノクロオート照明モードに設定操作するとともに、ページ送りボタン１０を操作したとする。すると、制御装置１００でコンテンツ表示処理が実行され、まずステップＳ１０１を経て、ステップＳ１０２の判定が「Ｎｏ」となり、またステップＳ１０５の判定が「Ｙｅｓ」となり、ステップＳ１０６で、有機ＥＬ表示体２をオフ状態とする指令が第１ディスプレイドライバ１０９に出力され、ステップＳ１０７で、図６（ｂ）に示すように、次のページのコンテンツに含まれる全表示データを電気泳動パネル３に白黒表示させる指令が第２ディスプレイドライバ１１１に出力され、ステップＳ１０８で、オート照明フラグが“１”のオン状態とされる。そして、それらの指令が第１ディスプレイドライバ１０９及び第２ディスプレイドライバ１１１に出力されると、有機ＥＬ表示体２がオフ状態とされ、図６（ｂ）に示すように、次のページのコンテンツに含まれる全表示データが電気泳動パネル３に白黒表示され、図３に示すように、表示画面１には、電気泳動パネル３に白黒表示された全表示データが表示される。
【００５２】
またここで、タイマ割込処理が実行されたとする。すると、まずステップＳ２０１の判定が「Ｙｅｓ」となり、ステップＳ２０２で、光センサ１４で検出された表示画面１への入射光量が読み込まれ、ステップＳ２０３で、その入射光量から有機ＥＬ表示体２の輝度が設定され、ステップＳ２０４で、図６（ａ）に示すように、電気泳動パネル３に表示させているコンテンツに含まれる文字データＢから明色表示領域Ｃが抽出され、その表示領域Ｃと重なる部分を有機ＥＬ表示体２に白色表示させる指令が第１ディスプレイドライバ１０９に出力される。そして、その指令が第１ディスプレイドライバ１０９に出力されると、図６（ａ）に示すように、文字の背景部分の表示領域Ｃと重なる部分が有機ＥＬ表示体２に白色表示され、表示画面１には、電気泳動パネル３に白黒表示された全表示データの文字の表示領域Ｂと背景部分の表示領域Ｃとの明度差が大きく表示される。
【００５３】
このように、本実施形態にあっては、文字の表示領域Ｂと背景部分の表示領域Ｃとの明度差を大きくするため、それらの表示領域Ｂ，Ｃの境界が明瞭に感じられ、表示画面１への入射光量が少ないときにも文字データが見やすくなる。
また、表示画面１への入射光量が少ないとき、つまり周囲が暗いときには、有機ＥＬ表示体２の輝度を小さくするため、表示コンテンツの見やすさを損なうことなく、色彩光の発光に消費される電力がより小さくなる。
【００５４】
一方、利用者が、モード切替スイッチ１２をカラー１モードに設定するとともに、電源スイッチ１３をオフ状態としたとする。すると、制御装置１００で終了処理が実行され、まずステップＳ３０１及びＳ３０２の判定が「Ｎｏ」となり、ステップＳ３０３で、有機ＥＬ表示体２と電気泳動パネル３とに表示させていたコンテンツに含まれる全表示データを、電気泳動パネル３に白黒表示させる指令が第２ディスプレイドライバ１１１に出力され、ステップＳ３０４で、有機ＥＬ表示体２の駆動回路と電気泳動パネル３の駆動回路とが開放状態とされる。そして、それらの指令が第１ディスプレイドライバ１０９及び第２ディスプレイドライバ１１１に出力されると、コンテンツに含まれる全表示データが電気泳動パネル３に白黒表示された後、有機ＥＬ表示体２の駆動回路と電気泳動パネル３の駆動回路とが開放状態とされ、図３に示すように、表示画面１には、電気泳動パネル３に白黒表示された全表示データが表示され続ける。
【００５５】
なお、上記実施形態では、有機ＥＬ表示体２は第１の表示体及び透過型表示体に対応し、電気泳動パネル３は第２の表示体及び反射型表示体に対応し、有機ＥＬ発光層４は自己発光層に対応し、マイクロカプセル８が配された層は電気泳動層に対応し、制御装置１００は制御手段に対応し、低パワーモノクロモードは節電モードに対応し、モード切替スイッチ１２はモード選択手段に対応し、光センサ１４は入射光量検出手段に対応する。
【００５６】
また、上記実施形態は、本発明の表示装置及び電子機器の一例を示したものであり、表示装置の構成等を限定するものではない。
例えば、上記実施形態では、モード切替スイッチ１２が低パワーモノクロモードに設定操作されたときに、コンテンツに含まれるカラー表示データを電気泳動パネル３に白黒表示させる例を示したが、これに限られるものではなく、例えば、コンテンツに含まれるカラー表示データを有機ＥＬ表示体２に表示させている状態が設定時間を経過したときに、そのカラー表示データを電気泳動パネル３に白黒表示させる状態に自動的に移行してもよい。そのようにすれば、有機ＥＬ表示体２による色彩光の発光を停止でき、装置全体として消費電力をより小さくできる。
【００５７】
また、図６（ａ）に示すように、電気泳動パネル３に表示させているコンテンツに含まれる文字データＢの明色表示領域Ｃ、つまり文字の背景部分の表示領域Ｃと重なる部分を有機ＥＬ表示体２に白色表示させる例を示したが、これに限られるものではなく、例えば、図１２（ａ）に示すように、文字の背景部分の表示領域Ｃと重なる部分のうち文字の近傍領域Ｄを除いた領域Ｅだけを有機ＥＬ表示体２に白色表示させるようにしてもよく、そのようにすれば、有機ＥＬ表示体２で白色光を発光させるために消費される電力をより小さくできる。
【００５８】
さらに、有機ＥＬ表示体２でカラー写真データを表示する例を示したが、これに限られるものではなく、例えば、カラー又はモノクロの動画を表示するようにしてもよく、そのようにすれば、その動画を適切な速度で表示することができる。
また、背面側に白黒表示する反射型表示体は、電気泳動パネルに限らず、コレステリック液晶パネル、ツイストボール式電子ペーパー、エレクトロデポジション・ディスプレイ等でもよい。
【００５９】
また、本発明の表示装置を備えた電子機器として、電子ブックのコンテンツを閲覧するための電子ブックリーダについて説明したが、これに限られるものではなく、例えば、電子ノート、モバイル型パーソナルコンピュータ、携帯電話、ディジタルスティルカメラ等の電子機器にも適用することができる。
【図面の簡単な説明】
【図１】本発明の表示装置の一実施形態を示す概略構成図である。
【図２】図１の表示画面を破断拡大して示す断面図である。
【図３】表示コンテンツの表示状態を説明するための説明図である。
【図４】カラー１モードを説明するための説明図である。
【図５】カラー２モードを説明するための説明図である。
【図６】モノクロオート照明モードを説明するための説明図である。
【図７】低パワーモノクロモードを説明するための説明図である。
【図８】制御装置の構成を示すブロック図である。
【図９】コンテンツ表示処理のフローチャートである。
【図１０】タイマ割込処理のフローチャートである。
【図１１】終了処理のフローチャートである。
【図１２】変形例を説明するための説明図である。
【符号の説明】
１は表示画面，２は有機ＥＬ表示体，３は電気泳動パネル，４は有機ＥＬ発光層，５，６は透明電極，９は電極，１２はモード切替スイッチ，１３は電源スイッチ，１４は光センサ，１００は制御装置，１０１は主制御部，１０９は第１ディスプレイドライバ，１０１１は第２ディスプレイドライバ
【図１】
2004302321.tif 000003
【図２】
2004302321.tif 000004
【図３】
2004302321.tif 000005
【図４】
2004302321.tif 000006
【図５】
2004302321.tif 000007
【図６】
2004302321.tif 000008
【図７】
2004302321.tif 000009
【図８】
2004302321.tif 000010
【図９】
2004302321.tif 000011
【図１０】
2004302321.tif 000012
【図１１】
2004302321.tif 000013
【図１２】
2004302321.tif 000014